(57)【特許請求の範囲】
【請求項１】
複数基を連結して管渠を構成する単位管体を山留め空間内に搬入し、該山留め空間内の基礎コンクリート上に敷設された溝状をなすガイドレール上に球状体を分散して配置し、前記単位管体を前記該球状体で支持した状態で、中間位置に設けられた方向変換部を経て管体の連結位置まで移送するようにした管渠の布設方法において、
上面に前記基礎コンクリート上に布設されたレールと連絡するガイドレールが設けられたプレキャストコンクリート製のターンテーブルを、方向変換部に形成された凹所内に設置し、該ターンテーブルを球状体を分散して配置して支持して、回転軸回りの回転抵抗を軽減するとともに、前記単位管体を前記ターンテーブル上のガイドレール上に移動し、前記ターンテーブルを回転させて前記単位管体の方向変換を行い、前記単位管体の布設作業が完了後に、前記ターンテーブル下の前記凹所にグラウト充填して前記ターンテーブルを前記基礎コンクリートと一体化するようにしたことを特徴とする管渠の布設方法。
【請求項２】
複数基を連結して管渠を構成する単位管体を山留め空間内に搬入し、該山留め空間内の基礎コンクリート上に敷設された溝状をなすガイドレール上に球状体を分散して配置し、前記単位管体を前記該球状体で支持した状態で、中間位置に設けられた方向変換部を経て管体の連結位置まで移送するようにした管渠の布設方法において、
前記単位管体は、あらかじめ前記方向変換部で方向変換された後の方向を向くように、前記方向変換部まで前記基礎コンクリート上に敷設された第１のレール間幅のガイドレール上に分散された球状体上を前記方向変換部まで移送され、前記方向変換部で当初の移送方向を向いたままの状態で、管体の連結位置まで敷設された第２のレール間幅のガイドレール上に切り替えられ、該第２のレール間幅のガイドレール上に分散された球状体上を、前記管体の連結位置まで移送されるようにしたことを特徴とする管渠の布設方法。
【発明の詳細な説明】
【０００１】
【発明の属する技術分野】
本発明は管渠の布設方法に係り、特にプレキャストコンクリート製ボックスカルバートを方向変換部を経て管体の連結位置まで横引きし、複数基を連結させ管渠を構築するようにした管渠の布設方法に関する。
【０００２】
【従来の技術】
出願人の一は、すでに都市部等における狭隘な道路下に建設される下水幹線等に用いられるプレキャストコンクリート製の管渠の合理的な布設方法として、摩擦低減手段としてのベアリングボールを利用した横引き工法を開発している（特許第２８７９０２１号参照）。本工法によれば、開削トンネル部の構築後に、地上のわずかなスペースに単位管体としてのボックスカルバートの搬入部を設け、そこから搬入されたボックスカルバートを所定連結位置まで横引きし、これらを連結した管渠を迅速に構築することができる。
【０００３】
図９は、この管渠の布設方法における横引き作業状態を示した概略側面図である。同図に示したように、開削トンネル１００内に施工された基礎コンクリート１０１上にはボックスカルバート１０２の延長方向に沿って横引き用レール１０３が布設されている。横引き用レール１０３としては、図１０に示したように横にした状態でそのほとんどの部分がコンクリート１０１内に埋設された細幅系Ｈ形鋼等が使用されている。埋設されたＨ形鋼のウェブ１０３ａの片面がレール面となり、わずかに端部が露出したフランジ１０３ｂが側壁となっている。さらに、レール面上には摩擦低減を図る球状体としてのベアリングボール１０４が適当に分散するように配置されている。たとえば、ベアリングボール１０４にはφ１１ｍｍ程度の鋼球が使用されている。これらのベアリングボール１０４の上には、底面に板厚鋼板からなるガイドプレート１０５が固着されたボックスカルバート１０２が載置されている。ボックスカルバート１０２は、ガイドプレート１０５を介して多数のベアリングボール１０４に点支持されるようになっている。図１０に示したように、ボックスカルバート１０２が図示しないウインチ等の横引き（牽引）装置により矢印方向へ牽引されるのに伴い、ボックスカルバート１０２を支持するベアリングボール１０４は転動する。これによりガイドプレート１０５とレール１０３間の動摩擦が大幅に低減される。実験によれば動摩擦係数はそり等の横引き工法の場合に比べて１／４まで低減される。なお、図９，図１０においてベアリングボール１０４は説明のために拡大して示している。
【０００４】
【発明が解決しようとする課題】
ところが、上述した横引き方法では、横引き用レールが基礎コンクリート上に布設されるが、図１１に示したように直角あるいは所定の折れ角で屈曲した方向変換部１００Ａを有するように開削トンネル１００が施工される場合、横引き用レールをその方向変換部のなす折れ角に合わせて布設することは困難である。また、その方向変換部に合わせた曲率に加工した形鋼レールを布設しても、ボックスカルバート下面に取り付けたガイドプレートが所定の長さを有するため、そのレールの曲率に沿って進行させることはできない。
【０００５】
そこで、本発明の目的は上述した従来の技術が有する問題点を解消し、ベアリングボールを用いた横引きによりボックスカルバート等の管渠を布設するのに際し、布設区間内に設けられた方向変換部において、確実かつ安全にボックスカルバート等の管渠の横引きを行えるようにした管渠の布設方法を提供することにある。
【０００６】
【課題を解決するための手段】
上記目的を達成するために、本発明は複数基を連結して管渠を構成する単位管体を山留め空間内に搬入し、該山留め空間内の基礎コンクリート上に敷設された溝状をなすガイドレール上に球状体を分散して配置し、前記単位管体を前記該球状体で支持した状態で、中間位置に設けられた方向変換部を経て管体の連結位置まで移送するようにした管渠の布設方法において、上面に前記基礎コンクリート上に布設されたレールと連絡するガイドレールが設けられたプレキャストコンクリート製のターンテーブルを、方向変換部に形成された凹所内に設置し、該ターンテーブルを球状体を分散して配置して支持して、回転軸回りの回転抵抗を軽減するとともに、前記単位管体を前記ターンテーブル上のガイドレール上に移動し、前記ターンテーブルを回転させて前記単位管体の方向変換を行い、前記単位管体の布設作業が完了後に、前記ターンテーブル下の前記凹所にグラウト充填して前記ターンテーブルを前記基礎コンクリートと一体化するようにしたことを特徴とする。
【０００７】
複数基を連結して管渠を構成する単位管体を山留め空間内に搬入し、該山留め空間内の基礎コンクリート上に敷設された溝状をなすガイドレール上に球状体を分散して配置し、前記単位管体を前記該球状体で支持した状態で、中間位置に設けられた方向変換部を経て管体の連結位置まで移送するようにした管渠の布設方法において、前記単位管体は、あらかじめ前記方向変換部で方向変換された後の方向を向くように、前記方向変換部まで前記基礎コンクリート上に敷設された第１のレール間幅のガイドレール上に分散された球状体上を前記方向変換部まで移送され、前記方向変換部で当初の移送方向を向いたままの状態で、管体の連結位置まで敷設された第２のレール間幅のガイドレール上に切り替えられ、該第２のレール間幅のガイドレール上に分散された球状体上を、前記管体の連結位置まで移送されるようにしたことを特徴とする。
【０００８】
【発明の実施の形態】
以下、本発明の管渠の布設方法の方向変換部における実施の形態について添付図面を参照して説明する。
［方向変換部の施工］
図１は、山留め空間１内の方向変換部１Ａに設けられたターンテーブル１０上に単位管体としてのボックスカルバートが載置された状態を示した全体正面図である。図２各図は、図１におけるガイドレール近傍（IIａ）及び基礎コンクリート端部とターンテーブル１０端部の近傍（IIｂ）を示した部分拡大図である。図３は、ターンテーブル１０及びその周辺の構成を示した平面図である。
【０００９】
図１，図３に示したように、このターンテーブル１０は、方向変換部１Ａの基礎コンクリート１０１内にその全体が埋設されたほぼ矩形の厚鋼板からなるベースプレート１３上に、その回転を補助する摩擦低減手段としての球状体１４（以下、ベアリングボール１４）を介して回転軸１７に関して回転可能に取り付けられている。さらにターンテーブル１０の上面には単位管体としてのボックスカルバート２が移送されるガイドレール１６が形成されている。なお、図３ではターンテーブル１０の構成を説明するために、ターンテーブル１０上に載置されたボックスカルバート２を仮想線で示している。
【００１０】
これらの構成のうち、ベースプレート１３は図１，図３に破線で示したように、方向変換部１Ａにおいて、基礎コンクリート１０１を打設する際にあらかじめ所定深さを保持され、全体がコンクリート１０１内に埋設されている。このとき図３に示したように、ターンテーブル１０が載置されるベースプレート１３上の円形凹所６は仮型枠（図示せず）によって箱抜きされ、ベースプレート１３上面が露出するように基礎コンクリート１０１が打設される。ベースプレート１３のほぼ中心位置にはターンテーブル１０の回転軸１７がプレート１３表面から突設されている。ターンテーブル１０は回転軸１７に図示しない玉軸受を介して取り付けられる。この回転軸１７周りのターンテーブル１０の回転をスムースに行うために、図２各図に示したように、ベースプレート１３上に多数のベアリングボール１４が分散して撒き出されている。上述した横引き工法と同様に、このベアリングボール１４上にターンテーブル１０が載置されている。したがって、ターンテーブル１０は多数のベアリングボール１４に点支持された状態で回転軸１７周りに回転する。この状態でベアリングボール１４はベースプレート１３上を転動しながらターンテーブル１０を支持するため、動摩擦係数を充分小さくすることができる。
【００１１】
さらに、ターンテーブル１０の上面には、図３に示したように井桁状をなしてガイドレール１６が形成されている。このガイドレール１６は基礎コンクリート１０１上に設けられている横引き用レール１０３の軌道幅に等しい間隔で平行した溝状部で、図２（ａ）に示したように、所定断面の山形鋼１２の一方のフランジをターンテーブル１０上に溶接して側壁とすることで、ガイドレール１６としての溝状部がテーブル１０上に画成される。この溝状部には、摩擦低減を目的としてベースプレート１３とターンテーブル１０との間に配置されたベアリングボール１４と同一種類のベアリングボール４がレールの範囲に満遍なく分散するように撒き出され配置されている。ボックスカルバート２はこのベアリングボール４上にガイドプレート５を介して支持されている。このときターンテーブル１０上面のレベル（高さ）は基礎コンクリート１０１上の横引き用レール１０３の上面とほぼ一致するように設定されており、ボックスカルバート２を基礎コンクリート１０１からターンテーブル１０上に載せ替える際に段差が生じない。なお、ターンテーブル１０上のガイドレール１６は図３に示したように、直交する２組のレールが井桁状に形成されているが、１組のレールのみを設け、適宜ターンテーブル１０を所定方向に回転させて使用することでも対応できる。
【００１２】
施工完了時にこのターンテーブル１０位置に異形カルバート２を設置する場合にはターンテーブル１０をコンクリート内に埋設することもある。その際、鋼製ターンテーブルの場合には溶接等により適当な固定部に固定した上で、ベースプレート１３との隙間をグラウト等で充填する。
【００１３】
図４は、ターンテーブルの変形例として、プレキャストコンクリート版製のターンテーブル１０の例を示した部分断面図である。図示したターンテーブル１０は、基礎コンクリート１０１に円形凹所６を形成し、この円形凹所６内にさらにベアリングボール収容部６ａを設け、ベアリングボール１４を分散して撒き出し、その上にプレキャストコンクリート製ターンテーブル１０を載置するようにしたものである。このターンテーブル１０はボックスカルバート（図示せず）が載置された状態でボックスカルバートの方向変換角度だけベアリングボール１４上を回動することができる。また、ターンテーブル１０の一部には上面と底面とを貫通するグラウト孔４１が形成されている。このターンテーブル１０によるボックスカルバートの方向変換作業が完了したら、このグラウト孔４１を用いてターンテーブル１０の底版と円形凹所６との間のグラウト工を行ってターンテーブル１０を固定することが好ましい。このとき、ターンテーブル１０の周縁側部に凹凸形状をつけておき、グラウト工の際にターンテーブル全体が基礎コンクリート１０１に確実に固定されるようにすることも好ましい。
【００１４】
図５は、図３に示したターンテーブル１０が設けられた方向変換部１Ａにおけるボックスカルバート２の方向変換作業を説明した状態説明図である。同図に示したように、ボックスカルバート２は各図の下方（手前）から右方（奥方）へ方向変換するようになっている。まず、ボックスカルバート２は、同図（ａ）に示した基礎コンクリート１０１位置から牽引ワイヤＷを介して図示しないウィンチで牽引されてターンテーブル１０の中央位置まで引き出される（図５（ｂ））。その状態で新たな進行方向を向くまでターンテーブル１０を回転させ、ガイドレール１６と進行方向の横引き用レール１０３の方向とを一致させる。ターンテーブル１０の回転はウィンチによるワイヤＷによる牽引でも人力でも行うことができる。さらにボックスカルバート２の進行方向の基礎コンクリート１０１の横引き用レール上１０３へ牽引ワイヤＷによって引き出し、奥方の管体連結位置（図示せず）まで牽引する。図５では方向変換の角度の例として９０°の場合を示したが、任意角度での方向変換が可能である。また、図４に示したターンテーブル１０についても同様の用い方を行うことができる。
【００１５】
（方向変換部の施工の変形例）
上述したターンテーブル１０に代わる変形例による方向変換部の施工について、図６〜図８を参照して説明する。図６は、ターンテーブルに代えてボックスカルバートを一時的にピボットで支持して、その方向を変換する方法を示した施工状態図である。方向変換部には図６，図７に示したように所定位置にきたボックスカルバート２を底面のほぼ中心で点支持するピボット構造の油圧シリンダジャッキ４２が配置されている。このシリンダジャッキ４２は、通常はシリンダロッド４２ａが基礎コンクリート１０１内に位置する程度に縮退しており、ボックスカルバート２が、方向変換部に到達し、その底面のほぼ中心が重なったときに図示しない操作部での運転動作によりロッド伸長可能となっている。さらに、ジャッキ４２の周囲には旋回機構（図示せず）が設けられており、シリンダロッド４２ａを伸長させてボックスカルバート２を所定量だけ押し上げた状態でボックスカルバート２を、ジャッキ位置を中心として新たな進行方向に回動させることができる（図７参照）。このようにして、ボックスカルバート２を直交方向の横引き用レール１０３に沿って矢印方向に移送することができる。なお、ボックスカルバート２移送時の転倒防止のために、ボックスカルバート２の回動に追従するスペーサーの挿入あるいはバンド固定等を実施することが好ましい。必要に応じて先端に把持アタッチメントを備えた自走式の小型重機によって部材の一部を把持して走行させることもできる。
【００１６】
図８は、他の変形例を示した説明図である。同図に示したように、本変形例では、方向変換部までの基礎コンクリート上に３本のガイドレール１０３Ａ，１０３Ｂ，１０３Ｃが設けられている。すなわち、方向変換部までは、第２のレール間幅としての通常の間隔（Ｗ2）で設けられた２本のガイドレール１０３Ａ，１０３Ｃに加え、図示したように、ボックスカルバートを横向き（方向変換後の方向）にした状態で横引き可能な中間レール１０３Ｂが一方のガイドレール１０３Ａとの第１のレール間幅としてのレール間隔（Ｗ1）となるように設けられている。このように中間レール１０３Ｂを通常のガイドレールに加えて設けることにより、図示したように、ボックスカルバートの向きをあらかじめ変えておくことで、新たな方向に向けた状態でボックスカルバート２を搬入移送して対応することができる。
【００１７】
【発明の効果】
以上の説明から明らかなように、本発明によれば、トンネル内に搬入されたボックスカルバートを方向変換部においても効率よく横引きして据え付け位置まで移動することができるという効果を奏する。
【図面の簡単な説明】
【図１】  本発明による管渠の布設方法の一実施の形態としての方向変換部において適用されるターンテーブルの構成例を示した正面図。
【図２】  ターンテーブルに適用された球状体の実施の態様を示した部分拡大図。
【図３】  図１に示したターンテーブル及びその周辺構成を示した平面図。
【図４】  ターンテーブルの変形例を示した部分断面図。
【図５】  図３に示したターンテーブルによるボックスカルバートの方向変換作業状態を模式的に示した状態説明図。
【図６】  ターンテーブルの変形例による方向変換部におけるボックスカルバートの方向変換作業状態を示した状態説明図。
【図７】  図６に示したターンテーブルの構成を示した部分断面図。
【図８】  ガイドレールのレイアウトによる方向変換部の変形例での方向変換作業状態を示した状態説明図。
【図９】  従来のボックスカルバートの布設方法の一例を示した側面図。
【図１０】  図９に示したボックスカルバートの敷設方法における摩擦低減手段の一例を示した部分正面図。
【図１１】  方向変換部におけるボックスカルバートの横引き状態を示した模式説明図。
【符号の説明】
１  山留め空間
１Ａ  方向変換部
２  ボックスカルバート
４，１４  ベアリングボール
５  ガイドプレート
１０  ターンテーブル
１３  ベースプレート
１６  ガイドレール
１０１  基礎コンクリート
１０３，１０３Ｈ、１０３Ｌ  横引き用レール
【図１】
0003664301.tif 000002
【図２】
0003664301.tif 000003
【図３】
0003664301.tif 000004
【図４】
0003664301.tif 000005
【図５】
0003664301.tif 000006
【図６】
0003664301.tif 000007
【図７】
0003664301.tif 000008
【図８】
0003664301.tif 000009
【図９】
0003664301.tif 000010
【図１０】
0003664301.tif 000011
【図１１】
0003664301.tif 000012